(57)【要約】【課題】  ダイレクトプリントにおいて、記録装置の設置状況に拘らずユーザーに快適な操作環境を提供すること。【解決手段】  まず、プリンタ１００は、記憶手段から画像の情報を取得し、赤外線インターフェース１０５を用いてその情報を携帯電話２００へ送信する。次に、携帯電話２００は、赤外線インターフェース２０５を用いてプリンタ１００から送信された画像の情報を受信し、表示パネル２３０にその情報を表示し、操作パネル２４０によりユーザーから記録対象とする画像の指定を受け付け、赤外線インターフェース２０５を用いてその情報をプリンタ１００へ送信する。そして、プリンタ１００は、赤外線インターフェース１０５を用いて携帯電話２００から送信された記録対象となる画像を指定する情報を受信し、その情報に基づきプリントエンジン部１５０を用いて記録対象となるデータを記録する。【選択図】  図１
2008221634.tif 000002
【特許請求の範囲】
【請求項１】
通信装置と無線通信可能な記録装置において、
記憶手段からデータを取得するデータ取得手段と、
前記データを前記通信装置へ送信するデータ送信手段と、
前記データのうち記録対象となるデータを指定する情報を前記通信装置から受信するデータ指定情報受信手段と、
前記データ指定情報に基づき前記記憶手段に記憶されたデータのうち指定されたデータを印刷するデータ印刷手段と
を有することを特徴とする記録装置。
【請求項２】
前記記憶手段は前記記録装置内に配置されている
ことを特徴とする請求項１に記載の記録装置。
【請求項３】
前記通信装置からの問い合わせに対しリモコンモードに移行可能であるか否かを判定する判定手段
を更に備えることを特徴とする請求項１に記載の記録装置。
【請求項４】
前記記憶手段からデータの保存場所の情報を取得するデータ保存場所情報取得手段
を更に有することを特徴とする請求項１に記載の記録装置。
【請求項５】
通信装置と無線通信可能な撮像装置において、
記憶手段からデータを取得するデータ取得手段と、
前記データを前記通信装置へ送信するデータ送信手段と、
前記データのうち記録対象となるデータを指定する情報を前記通信装置から受信するデータ指定情報受信手段と、
前記データ指定情報に基づき前記記憶手段に記憶されたデータのうち指定されたデータを記録装置へ送信するデータ送信手段と
を有することを特徴とする撮像装置。
【請求項６】
前記記憶手段は前記撮像装置内に配置されている
ことを特徴とする請求項５に記載の撮像装置。
【請求項７】
前記通信装置からの問い合わせに対しリモコンモードに移行可能であるか否かを判定する判定手段
を更に備えることを特徴とする請求項５に記載の撮像装置。
【請求項８】
前記記憶手段からデータの保存場所の情報を取得するデータ保存場所情報取得手段
を更に有することを特徴とする請求項５に記載の撮像装置。
【請求項９】
通信装置と無線通信可能な記録装置を制御するプログラムにおいて、
記憶手段からデータを取得するデータ取得工程と、
前記データを前記通信装置へ送信するデータ送信工程と、
前記データのうち記録対象となるデータを指定する情報を前記通信装置から受信するデータ指定情報受信工程と、
前記データ指定情報に基づき前記記憶手段に記憶されたデータのうち指定されたデータを印刷するデータ印刷工程と
を有することを特徴とするプログラム。
【請求項１０】
前記通信装置からの問い合わせに対しリモコンモードに移行可能であるか否かを判定する判定工程
を更に備えることを特徴とする請求項９に記載のプログラム。
【請求項１１】
前記記憶手段からデータの保存場所の情報を取得するデータ保存場所情報取得工程
を更に有することを特徴とする請求項９に記載のプログラム。
【請求項１２】
通信装置と無線通信可能な撮像装置を制御するプログラムにおいて、
記憶手段からデータを取得するデータ取得工程と、
前記データを前記通信装置へ送信するデータ送信工程と、
前記データのうち記録対象となるデータを指定する情報を前記通信装置から受信するデータ指定情報受信工程と、
前記データ指定情報に基づき前記記憶手段に記憶されたデータのうち指定されたデータを記録装置へ送信するデータ送信工程と
を有することを特徴とするプログラム。
【請求項１３】
前記通信装置からの問い合わせに対しリモコンモードに移行可能であるか否かを判定する判定工程
を更に備えることを特徴とする請求項１２に記載のプログラム。
【請求項１４】
前記記憶手段からデータの保存場所の情報を取得するデータ保存場所情報取得工程
を更に有することを特徴とする請求項１２に記載のプログラム。
【請求項１５】
請求項９乃至請求項１４に記載のプログラムを格納した記憶媒体。
【発明の詳細な説明】
【技術分野】
【０００１】
本発明は、通信装置を用いて記録装置を遠隔操作する技術に関するものである。
【背景技術】
【０００２】
従来、プリンタはホストコンピュータから送信される画像データを受け取って印刷を行うものが一般的であった。
【０００３】
これに対し近年、デジタルカメラとＵＳＢ等のインターフェースを介して接続され、デジタルカメラからの画像データをプリンタが直接受け取って印刷可能としたプリンタが普及してきた。また、デジタルカメラで撮影した画像データが記憶されたメモリカードを着脱可能なスロットを設け、そのメモリカードに記憶されている画像データを直接読み取って印刷可能としたプリンタも普及してきた。このようなプリンタは、ホストコンピュータを介することなく、画像を直接印刷（以下、ダイレクトプリントという）可能となっている。ダイレクトプリントに際しては、印刷する対象や形式の指示等を、プリンタやデジタルカメラの操作パネルを用いて行うように構成されている。
【０００４】
この一方で近年、一般のデジタルカメラと同等の記録画素数で撮像可能な撮像機能を持った携帯電話が普及してきた。携帯電話は、表示パネルの大型化や高精細化が進んでおり、画像や文字情報の視認性が向上してきている。また携帯電話には、外部の機器との通信のための無線通信用のインターフェースを備え、このインターフェースを利用して無線で外部の機器と通信可能としたものも出現している。このような携帯電話には、テレビのリモコンの代用として活用できるものや、電話回線を介することなく携帯電話同士でデータや撮像した画像の交換が可能なものもある。
【０００５】
特許文献１及び２には、携帯電話の無線機能を用いて印刷を行う記録装置の構成が開示されている。
【特許文献１】特開２００５−１４２６０号
【特許文献２】特開２００５−２０１０１号
【発明の開示】
【発明が解決しようとする課題】
【０００６】
従来、記録装置でダイレクトプリントを行う際、ユーザーは常に記録装置の傍に張り付いて操作パネルの画面を見ながら操作を行う必要があった。この場合、記録装置の設置環境によって、ユーザーは操作パネルが見難かったり操作し難かったりすることがあった。
【０００７】
特許文献２及び３には、携帯電話に保存した画像データを無線通信によりプリンタに送信して印刷する構成が開示されている。しかし、いずれもその通信は携帯電話からプリンタへの送信のみであり、その使用方法も携帯電話に保存された画像データをプリンタで印刷することに限定されていた。
【課題を解決するための手段】
【０００８】
上記課題を解決するため、本発明は、通信装置と双方向通信可能な記録装置において、記憶手段からデータを取得するデータ取得手段と、前記データを前記通信装置へ送信するデータ送信手段と、前記データのうち記録対象となるデータを指定する情報を前記通信装置から受信するデータ指定情報受信手段と、前記データ指定情報に基づき記録対象となるデータを印刷するデータ印刷手段とを有することを特徴とする。
【０００９】
また上記課題を解決するため、本発明は、通信装置と双方向通信可能な撮像装置において、記憶手段からデータを取得するデータ取得手段と、前記データを前記通信装置へ送信するデータ送信手段と、前記データのうち記録対象となるデータを指定する情報を前記通信装置から受信するデータ指定情報受信手段と、前記データ指定情報に基づき記録対象となるデータを記録装置へ送信するデータ送信手段とを有することを特徴とする。
【発明の効果】
【００１０】
本発明により、通信装置と記録装置を双方向通信することにより記録装置を遠隔操作するので、その設置状況に拘らずユーザーに快適な記録装置の操作環境を提供することができるようになる。
【００１１】
また本発明により、通信装置と撮像装置を双方向通信することにより記録装置を遠隔操作するので、その設置状況に拘らずユーザーに快適な記録装置の操作環境を提供することができるようになる。
【発明を実施するための最良の形態】
【００１２】
（第１実施形態）
図１〜図３を用いて、本発明の第１実施形態を説明する。
【００１３】
まず、図１を用いて本発明の第１実施形態に係る装置の構成を説明する。
【００１４】
携帯電話２００は、携帯電話の各機能を制御する制御部２１０、本発明に係る携帯電話側のリモコン用プログラム（動作の詳細については図２のフローチャートを参照した後述の動作の説明に記載）を保存し、また画像データ保存領域や設定情報保存領域を含む記憶媒体としての記憶部２２０、各種情報を表示するための表示パネル２３０、ユーザーから各種情報の入力を受け付けるための操作パネル２４０を備えている。リモコン用プログラムは、あらかじめ携帯電話に内蔵されていても良いが、後にインターネット経由でダウンロードしても良い。また、赤外線通信インターフェース２０５を備えており、このインターフェースを介して、外部機器と通信できるように構成されている。
【００１５】
プリンタ１００は、赤外線通信インターフェース１０５を備え、携帯電話２００の赤外線通信インターフェース２０５との間で双方向通信可能に構成されている。１０１は制御部で、このプリンタ１００の動作を制御している。この制御部１０１は、ＣＰＵ、ＣＰＵにより実行されるプログラムを記憶したＲＯＭ、ＣＰＵのワークエリアとして使用され、各種データを一時的に保存するＲＡＭ等を備えている。１７０はプリンタにおける記憶部としてのプリンタ内臓ストレージであり、本発明に係るプリンタ側のリモコン用プログラム（動作の詳細については図３のフローチャートを参照した後述の動作の説明に記載）を保存するとともに画像データ保存領域や設定情報保存領域を含んでいる。１４０はＵＳＢインターフェースで、ＰＣ（コンピュータ）３００やデジタルカメラ４００等を接続し、このインターフェースを介して入力される画像データを受信して印刷することができる。１４１はカードインターフェースで、メモリカード（ＣＦカード、ＳＤカード、ＭＭＣ（マルチメディアカード）、メモリースティック等）１６０をスロットに挿入することで、このインターフェースを介して入力される画像データを受信して印刷することができる。データ処理部１１０は、このＵＳＢインターフェース１４０やカードインターフェース１４１を介して受信したファイル（データ）を、データ解析部１１２により解析し、その解析結果に基づいてデータ抽出部１１４により、印刷条件設定データや画像データを抽出する。その抽出した印刷条件データや画像ファイルを保存領域１２０に格納する。そして画像データはＪＰＥＧ処理部１３０で復号された後、展開処理部１３２でイメージデータに展開され、そのイメージデータはプリントエンジン部１５０へ供給されて印刷される。この場合の印刷仕様は、この保存領域１２０に記憶されている設定情報に基づいて決定される。なお、データ処理部１１０における処理及びＪＰＥＧ処理部１３０における処理は、制御部１０１のＣＰＵの制御プログラムによりソフトウェアで実行されても良い。尚、本実施の形態では、抽出した画像ファイルがＪＰＥＧ形式のファイルの場合を例に挙げており、展開処理部で１３２では、圧縮ファイルである画像ファイルを復号して展開するように構成されている。またＪＰＥＧ処理部１３０においては、展開処理部１３２で展開して得られた画像データを、プリントする用紙サイズに合わせて拡大或いは縮小する機能も併せ持っており、予め定められた用紙にプリント可能なように、画像サイズを変換する処理を行ってからプリントエンジン部１５０へ画像データを供給している。
【００１６】
３００はＰＣ（パーソナルコンピュータ）であり、各機能を制御する制御部３１０、本発明に係るリモコン用プログラム（動作の詳細については後述の動作の説明に記載）を保存し画像データ保存領域や設定情報保存領域を含む記憶部３２０、光学ディスクを読み取り可能な光ディスクドライブ３３０、外部と双方向通信可能な赤外線インターフェース３０５及びＵＳＢインターフェース３４０を備えている。
【００１７】
４００はデジタルカメラであり、各機能を制御する制御部４１０、本発明に係るリモコン用プログラム（動作の詳細については後述の動作の説明に記載）を保存し画像データ保存領域や設定情報保存領域を含む記憶部４２０、撮影した画像を保存するメモリカード４３０、外部と双方向通信可能な赤外線インターフェース４０５及びＵＳＢインターフェース４４０を備えている。
５００はネットワークであり、プリンタ５００と接続されている。
【００１８】
次に、図２を用いて本発明の第１実施形態に係る携帯電話の動作を説明する。この動作は、例えば携帯電話２００において制御部２１０が記憶部２２０に記憶されたプログラムを実行することによって実現される。
【００１９】
初めに、操作パネル２４０によりユーザーの要求を受け、記憶部２２０のリモコン用プログラムが起動する（Ｓ２０１）。次に、赤外線通信インターフェース２０５を用いて、プリンタにリモコンモードの開始要求を送信する（Ｓ２０２）。次に、赤外線通信インターフェース２０５を用いて、プリンタからリモコンモードの開始要求の結果を受信する（Ｓ２０３）。次に、Ｓ２０３で受信した内容により、プリンタがリモコンモードに移行可能であるか否かを判定する（Ｓ２０４）。Ｓ２０４において、プリンタがリモコンモードに移行可能である場合はリモコンモードに移行してＳ２０５以降へ進むが、プリンタがリモコンモードに移行可能でなかった場合はリモコンモードに移行せず動作を終了する。次に、赤外線インターフェース２０５を用いて、プリンタから画像の保存場所の情報を受信する（Ｓ２０５）。次に、Ｓ２０５で受信した情報を、表示パネル２３０に表示する（Ｓ２０６）。次に、Ｓ２０６で表示した情報に基づき、ユーザーが指定した画像の保存場所を操作パネル２４０により受け付ける（Ｓ２０７）。次に、Ｓ２０７で受け付けた情報を、赤外線インターフェース２０５を用いてプリンタに送信する（Ｓ２０８）。次に、赤外線インターフェース２０５を用いて、プリンタから送信された画像の情報を受信する（Ｓ２０９）。次に、Ｓ２０９で受信した情報を、表示パネル２３０に表示する（Ｓ２１０）。次に、Ｓ２１０で表示した基づき、ユーザーが指定した画像を操作パネル２４０により受け付ける（Ｓ２１１）。最後に、Ｓ２１１で受け付けた情報を、赤外線インターフェース２０５を用いてプリンタに送信する（Ｓ２１２）。
【００２０】
次に、図３を用いて本発明の第１実施形態に係るプリンタの動作を説明する。この動作は、例えばプリンタ１００において制御部１０１がプリンタ内臓ストレージ１７０に記憶されたプログラムを実行することによって実現される。
【００２１】
初めに、赤外線通信インターフェース１０５を用いて、携帯電話からリモコンモードの開始要求を受信する（Ｓ３０１）。次に、Ｓ３０１で受信した内容に対して、プリンタがリモコンモードに移行可能であるか否かを判定する（Ｓ３０２）。Ｓ３０２を実現する判定手段の一例として、少なくとも本実施形態では制御部１０１のＣＰＵがリモコンモードに移行可能であるか否かを判定する機能を担っている。Ｓ３０２において、プリンタがリモコンモードに移行可能であった場合はリモコンモードに移行（この時プリンタ内蔵ストレージ１７０のリモコン用プログラムが起動する）してＳ３０４以降へ進むが、プリンタがリモコンモードに移行可能でなかった場合はリモコンモードに移行せず赤外線通信インターフェース１０５を用いて携帯電話にプリンタがリモコンモードへ移行できない旨の開始要求結果を送信して（Ｓ３０３）動作を終了する。次に、赤外線通信インターフェース１０５を用いて、携帯電話にプリンタがリモコンモードへ移行できる旨の開始要求の結果を送信する（Ｓ３０４）。次に、接続された記憶手段（例えば、プリンタ内臓ストレージ１７０、メモリカード１６０、光学ディスク１８０、ＰＣ３００やデジタルカメラ４００やネットワーク５００上の情報機器の有する記憶手段）の中からアクセス可能な記憶手段を検索し、その記憶手段から画像の保存場所の情報を取得する（Ｓ３０５）。この接続された記憶手段手段は、記録装置内に配置されたもの（例えば、プリンタ内臓ストレージ１７０、メモリカード１６０、光学ディスク１８０）であってもよいし、記憶装置とインターフェースを介して接続されたもの（例えば、デジタルカメラ４００やネットワーク５００上の情報機器の有する記憶手段）でもよい。Ｓ３０５を実現するデータ保存場所情報取得手段の一例として、少なくとも本実施形態では制御部１０１のＣＰＵが画像の保存場所の情報を取得する機能を担っている。次に、Ｓ３０５で取得した画像の保存場所の情報を、赤外線インターフェース１０５を用いて携帯電話に送信する（Ｓ３０６）。Ｓ３０６を実現するデータ保存場所情報送信手段の一例として、少なくとも本実施形態では赤外線通信インターフェース１０５が画像の保存場所の情報を送信する機能を担っている。次に、Ｓ２０８で送信された画像の保存場所を指定する情報を、赤外線インターフェース１０５を用いて携帯電話から受信する（Ｓ３０７）。Ｓ３０７を実現するデータ保存場所指定情報受信手段の一例として、少なくとも本実施形態では赤外線通信インターフェース１０５が記録対象となる画像を含む画像の保存場所を指定する情報を受信する機能を担っている。次に、Ｓ３０７で受信した情報に基づき、接続された記憶手段（例えば、プリンタ内臓ストレージ１７０、メモリカード１６０、光学ディスク１８０、ＰＣ３００やデジタルカメラ４００やネットワーク５００上の情報機器の有する記憶手段）にアクセスし、指定された画像の保存場所に含まれる画像の情報を取得する（Ｓ３０８）。この接続された記憶手段手段は、記録装置内に配置されたもの（例えば、プリンタ内臓ストレージ１７０、メモリカード１６０、光学ディスク１８０）であってもよいし、記憶装置とインターフェースを介して接続されたもの（例えば、デジタルカメラ４００やネットワーク５００上の情報機器の有する記憶手段）でもよい。Ｓ３０８を実現するデータ取得手段の一例として、少なくとも本実施形態では制御部１０１のＣＰＵが画像の情報を取得する機能を担っている。次に、Ｓ３０８で取得した画像の情報を、赤外線インターフェース１０５を用いて携帯電話に送信する（Ｓ３０９）。Ｓ３０９を実現するデータ送信手段の一例として、少なくとも本実施形態では赤外線通信インターフェース１０５が画像の情報を送信する機能を担っている。次に、Ｓ２１１で送信された画像を指定する情報を、赤外線インターフェース１０５を用いて携帯電話から受信する（Ｓ３１０）。Ｓ３１０を実現するデータ指定情報受信手段の一例として、少なくとも本実施形態では赤外線通信インターフェース１０５が記録対象となる画像を指定する情報を受信する機能を担っている。最後に、Ｓ３１０で受信した情報に基づき、プリントエンジン部１５０を用いて接続された記憶手段に記憶された画像の情報のうち指定された画像の情報を印刷する（Ｓ３１１）。このとき、Ｓ３０８で取得した画像の情報を用いて印刷してもよいし、改めて接続された記憶手段から指定された画像の情報を取得して印刷してもよい。Ｓ３１１を実現するデータ印刷手段の一例として、少なくとも本実施形態ではプリントエンジン部１５０が指定された画像を印刷する機能を担っている。
【００２２】
なお、画像データ（例としてここではＪＰＥＧ形式）は、選択された画像保存デバイスから読み出され、保存領域１２０に一旦格納した後ＪＰＥＧ処理部１３０に送られる。デジカメで撮影し生成されたＪＰＥＧ画像データには、本画像データと共にサムネイル（多数の画像を一覧表示するための縮小された画像）データが含まれている。このことは、日本電子工業振興協会（ＪＥＩＤＡ）制定のＤＣＦ（Ｄｅｓｉｇｎ  ｒｕｌｅ  ｆｏｒ  Ｃａｍｅｒａ  Ｆｉｌｅ  ｓｙｓｔｅｍ）やＥｘｉｆ規格で定められている。但し、画像加工ツールなどを使用して作成・加工したＪＰＥＧ画像データには、サムネイルデータが含まれていない。ＪＰＥＧ処理部１３０では、対象画像データにサムネイルデータが含まれているかどうかを判定し、含まれていればそのサムネイルデータをそのまま携帯電話に送信するが、含まれていなければ本画像データからサムネイルデータを作成して携帯電話に送信する。
【００２３】
また、プリンタにおける画像の印刷は、例えば下記のような手順で行われる。まず、プリンタは赤外線通信部１０５で受信した画像データをデータ処理部１１０内のデータ解析部１１２により解析し、その解析結果に基づきデータ抽出部１１４にて画像指定情報や印刷条件設定情報を抽出する。そのうち、印刷条件設定情報一旦保存領域１２０に記憶され、その後プリントエンジン部１５０へ供給される。一方、印刷対象画像データは、抽出された画像指定情報を元にその画像データが保存されている保存場所から読み出され、ＪＰＥＧ処理部１３０で復号された後、展開処理部１３２でイメージデータに展開され、そのイメージデータはプリントエンジン部１５０へ供給され、上記で供給された印刷条件設定データを元に印刷される。
【００２４】
（第２実施形態）
図４〜図６を用いて、本発明の第２実施形態を説明する。
第２実施形態が第１実施形態と大きく違うのは、携帯電話等の通信装置と画像データをやり取りする対象が、プリンタ等の記録装置ではなくＰＣ、デジタルカメラ又はネットワーク上の情報機器等の情報処理装置である点である。
【００２５】
第１実施形態では、携帯電話等の通信装置とプリンタ等の記録装置間で情報を双方向通信することにより所望の画像が印刷されるが、第２実施形態では、携帯電話等の通信装置とＰＣ、デジタルカメラ又はネットワーク上の情報機器等の情報処理装置の間で情報を双方向通信してその結果を情報処理装置から記録装置に送信することにより所望の画像が印刷される。
【００２６】
まず、図３を用いて本発明の第２実施形態に係る装置の構成を説明する。
構成の各要素は、第１実施形態と同じである。よって、詳しい説明は第１実施形態と重複するため省略する。図から分かるように、携帯電話と通信する対象が、第１実施形態ではプリンタであったのに対し、第２実施形態ではＰＣやデジタルカメラやネットワーク上の情報機器となっている。
【００２７】
次に、図５を用いて本発明の第２実施形態に係る携帯電話の動作を説明する。
動作の各要素は、第１実施形態と同じである。Ｓ５０１〜Ｓ５１２は第１実施形態Ｓ２０１〜Ｓ２１２にそれぞれ対応する。動作の内容は同じであるが、動作の客体が、第１実施形態ではプリンタであったのに対し、第２実施形態ではＰＣやデジタルカメラやネットワーク上の情報機器となっている点が異なる。
【００２８】
次に、図６を用いて本発明の第２実施形態に係るＰＣ、デジタルカメラ又はネットワーク上の情報機器の動作を説明する。
【００２９】
動作の各要素は、第１実施形態と同じである。Ｓ６０１〜Ｓ６１１は第１実施形態Ｓ３０１〜Ｓ３１１にそれぞれ対応する。動作の内容は同じであるが、動作の主体が、第１実施形態ではプリンタであったのに対し、第２実施形態ではＰＣ、デジタルカメラ又はネットワーク上の情報機器となっている点が異なる。また、第１実施形態では最後の動作Ｓ３１１がプリンタでの指定された画像の印刷となっていたが、第２実施形態では最後の動作Ｓ６１１がプリンタへの指定された画像の送信となっている点も異なる。なお、各装置において、動作の制御は一例として各装置の制御部（例えば、ＰＣ３００では制御部３１０、デジタルカメラ４００では制御部４１０）が担っている。また、各装置において、携帯電話２００との情報の送受信は、一例として各装置の赤外線通信インターフェース（例えば、ＰＣ３００では赤外線通信インターフェース３０５、デジタルカメラ４００では赤外線通信インターフェース４０５）が担っている。また、各装置において、プリンタ１００への情報の送信は、一例として各装置のＵＳＢインターフェース（例えば、ＰＣ３００ではＵＳＢインターフェース３４０、デジタルカメラ４００ではＵＳＢインターフェース４４０）が担っている。
【００３０】
実施形態１及び２では、携帯電話−プリンタ間の通信に赤外線通信を用いたが、この代わりにＢｌｕｅｔｏｏｔｈや無線ＬＡＮを用いてもよい。
【００３１】
実施形態１及び２では、リモコンモード中にプリンタにインク切れや用紙切れ等のエラーが発生した場合はその情報が赤外線通信を用いて携帯電話に送信され、表示パネルを通してユーザーに告知される。
【００３２】
実施形態１及び２では、印刷する画像データの指定と共に印刷条件（印刷レイアウト、用紙サイズ、用紙種類、印字モード等）を設定してもよい。
【００３３】
実施形態１及び２では、用紙サイズ、用紙種類、印字モードを設定しているが、ここで設定した情報を携帯電話の記憶部２２０、若しくはプリンタの保存領域１２０やプリンタ内臓ストレージ１７０等に保存しておくことで、次回からの印字時にプリセット設定として呼び出してそのまま印字条件設定データとして使用可能としてもよい。
【００３４】
実施形態１及び２では、印刷画像を選択する為の参照用として画像のサムネイルデータを送信しているが、本画像データをそのまま送信してもよい。
【００３５】
実施形態１及び２では、携帯電話から送信された画像指定情報を元に画像保存デバイスから対象画像を読み出してきているが、いったん読み出した画像データをそのまま保存領域に保存しておき次回から画像データの読み出しを不要としてもよい。
【００３６】
実施形態１及び２では言及していないが、携帯電話に送信した画像データは携帯電話内の記憶部２２０にそのまま保存しておくことで、いつでも携帯電話で表示させたり、メールの添付ファイルとして送付したり、他のプリンタで通常の赤外線通信やＢｌｕｅｔｏｏｔｈを用いて印字することも可能である。
【００３７】
実施形態１及び２では言及していないが、プリンタの機種毎に設定可能な用紙サイズや用紙種類は異なる。携帯電話側の記憶部に各機種の設定可能な項目を保存しておく方法と、画像サムネイルを携帯電話に送信する際に設定可能な項目を送信する方法とがある。後者では携帯電話側に必要な記憶部の容量を削減することも可能である。
【００３８】
実施形態１及び２では、複数の有効な画像保存デバイスから選択するようにしているが、対象となる画像保存デバイスを例えばプリンタのメモリカードインターフェイスに挿入されたメモリカードのみに限定するような仕様でも良い。若しくは有効な画像保存デバイスを検索して携帯電話に通知してからその中から選択するのではなく、最初から携帯電話から画像保存デバイス指定を行うようにしてもよい。
【図面の簡単な説明】
【００３９】
【図１】本発明の第１実施形態に係る装置の構成を示すブロック図
【図２】本発明の第１実施形態に係る携帯電話の動作を説明するフローチャート
【図３】本発明の第１実施形態に係るプリンタの動作を説明するフローチャート
【図４】本発明の第２実施形態に係る装置の構成を示すブロック図
【図５】本発明の第２実施形態に係る携帯電話の動作を説明するフローチャート
【図６】本発明の第２実施形態に係るデジタルカメラの動作を説明するフローチャート
【符号の説明】
【００４０】
１００  プリンタ
１０１  制御部
１０５  赤外線通信インターフェース
１４０  ＵＳＢインターフェース
１４１  カードインターフェース
１４２  光学ディスクドライブ
１５０  プリントエンジン部
１６０  メモリカード
１７０  プリンタ内蔵ストレージ
１８０  光学ディスク
２００  携帯電話
２０５  赤外線通信インターフェース
２１０  制御部
２２０  記憶部
２３０  表示パネル
２４０  操作パネル
３００  ＰＣ
３０５  赤外線通信インターフェース
３１０  制御部
３２０  記憶部
３３０  光学ディスクドライブ
３４０    ＵＳＢインターフェース
４００  デジタルカメラ
４０５  赤外線通信インターフェース
４１０  制御部
４２０  記憶部
４３０  メモリカード
４４０    ＵＳＢインターフェース
５００  ネットワーク
【図１】
2008221634.tif 000003
【図２】
2008221634.tif 000004
【図３】
2008221634.tif 000005
【図４】
2008221634.tif 000006
【図５】
2008221634.tif 000007
【図６】
2008221634.tif 000008